(57)【要約】【課題】昼間や暗い所で、スイングに支障なく、頭の動き方とスイング軌道をスイング中に容易に知ることができるゴルフ練習装置を提供する。【解決手段】ゴルフクラブ７０でのアドレスで、ゴルフマット１４に設けられたゴルフボール着座部を兼ねたくぼみマーカー２４ｂとその上方の空間に浮かせて設けられている頭部ぶれ検出用マーカー２３ｂを目線７５で結ぶ。また、正面の任意の高さに設けられている鏡２７ａ面は、目線７７ａで正対した向きにセットされ、顔の一部が写る。さらに、マットに設けられている照明３３ａで、蓄光性発光体で形成された、くぼみマーカー２４ｂ並びにゴルフボール４０ｂ及び頭部ぶれ検出用マーカー２３ｂとクラブヘッドに設けられているマーカー部を一定時間照射して蓄光（充光）状態とすることができる。【選択図】  図１
2004321767.tif 000002
【特許請求の範囲】
【請求項１】
プレーヤーがゴルフボール載置位置を目視する目線上で、かつ、クラブヘッド軌道上で同クラブヘッドが十分通る高さで宙に浮いた状態に配置する頭部ぶれ検出用マーカーと、同頭部ぶれ検出用マーカーを支持するマーカー支持体とを具備するゴルフ練習装置。
【請求項２】
前記マーカー支持体は、地面上に立設した垂直支持部材と、基端部を垂直支持部材の上端部に連結すると供に前記プレーヤーに向けて水平方向に伸びる水平支持部材とを具備する逆Ｌ字状のマーカー支持スタンドによって構成され、前記水平支持部材の先端部に前記頭部ぶれ検出用マーカーを取り付けたことを特徴とする請求項１記載のゴルフ練習装置。
【請求項３】
前記マーカー支持スタンドの前記垂直支持部材は、軸線方向に伸縮可能かつ軸線周りに回転可能に構成し、前記マーカー支持スタンドの前記水平支持部材は軸線方向に伸縮可能に構成したことを特徴とする請求項２記載のゴルフ練習装置。
【請求項４】
前記マーカー支持スタンドの前記水平支持部材を、前記垂直支持部材に対して折り畳み可能に形成したことを特徴とする請求項２又は３記載のゴルフ練習装置。
【請求項５】
前記水平支持部材方向の先端に取り付けた頭部ぶれ検出用マーカーに、前記垂直支持部材の高さより短い長さの下げ振りを取り付けたことを特徴とする請求項２〜４のいずれか１項に記載のゴルフ練習装置。
【請求項６】
前記水平支持部材方向の先端に取り付けた頭部ぶれ検出用マーカーに、下端に重錘を具備する下げ振りを、前記頭部ぶれ検出用マーカーと前記重錘間に一定の高さを保持して取り付け、前記重錘の外幅は前記頭部ぶれ検出用マーカーの外幅より大きくゴルフボールの外幅より小さい大きさで、前記重錘の下端高さはゴルフボール載置面よりクラブヘッドが十分通る高さ位置に設けたことを特徴とする請求項２〜４のいずれか１項に記載のゴルフ練習装置。
【請求項７】
前記頭部ぶれ検出用マーカーに、着脱自在に細長い棒状マーカーを取り付けたことを特徴とする請求項１〜６のいずれか１項に記載のゴルフ練習装置。
【請求項８】
前記垂直支持部材下端に、前記マーカー支持スタンドを据置き構造に自立させる台座を取り付けたことを特徴とする請求項１〜７のいずれか１項に記載のゴルフ練習装置。
【請求項９】
プレーヤーがゴルフボール載置位置を目視する目線上に配置する頭部ぶれ検出用鏡と、同頭部ぶれ検出用鏡を支持する鏡支持体とを具備するゴルフ練習装置。
【請求項１０】
前記鏡支持体は、地面上に立設した垂直支持部材と、基端部を垂直支持部材の上端部に連結すると供に前記プレーヤーに向けて水平方向に伸びる水平支持部材とを具備する逆Ｌ字状の鏡支持スタンドによって構成され、前記水平支持部材の先端部に前記頭部ぶれ検出用鏡を取り付けたことを特徴とする請求項９記載のゴルフ練習装置。
【請求項１１】
前記鏡支持スタンドの前記垂直支持部材を、軸線方向に伸縮可能かつ軸線周りに回転可能に構成し、前記鏡支持スタンドの前記水平支持部材を、軸線方向に伸縮可能かつ軸線周りに回転可能に構成したことを特徴とする請求項１０記載のゴルフ練習装置。
【請求項１２】
前記鏡支持スタンドの前記水平支持部材を、前記垂直支持部材に対して折り畳み可能に形成したことを特徴とする請求項１０又は１１記載のゴルフ練習装置。
【請求項１３】
プレーヤーがゴルフボール載置位置を目視する目線上に配置する頭部ぶれ検出用マーカーを、前記頭部ぶれ検出用鏡の外周面であって前記水平支持部材の軸線の延長線上に取り付けたことを特徴とする請求項１０〜１２のうちいずれか１項に記載のゴルフ練習装置。
【請求項１４】
前記水平支持部材方向の先端に取り付けた頭部ぶれ検出用鏡に、前記垂直支持部材の高さより短い長さの下げ振りを取り付けたことを特徴とする請求項１０〜１３のいずれか１項に記載のゴルフ練習装置。
【請求項１５】
前記頭部ぶれ検出用鏡の上面に水平器を設けたことを特徴とする請求項９〜１４のいずれか１項に記載のゴルフ練習装置。
【請求項１６】
垂直支持部材と一端に鏡が設けられた水平支持部材から形成された逆Ｌ字状の形状からなる鏡支持体で、前記垂直支持部材下端には、前記鏡支持体を据置き構造に自立させる台座が取り付けられた請求項１０〜１５のいずれか１項に記載のゴルフ練習装置。
【請求項１７】
前記台座を、重錘を形成するゴルフボールを載置可能な構成としたことを特徴とする請求項８又は１８に記載のゴルフ練習装置。
【請求項１８】
前記台座には、直立する垂直支持部材の上端に前後に首振り自在な鏡を設け、前期垂直支持部材は軸線方向の上下に伸縮自在及び軸回転自在に形成された鏡スタンドを取り付けたことを特徴とする請求項８又は１６記載のゴルフ練習装置。
【請求項１９】
下端に台座を設け、同台座に固着した垂直支持部材の上端に照明を取り付けて据置き構造の照明スタンドを構成し、前記台座に、さらに、垂直支持部材と一端に頭部ぶれ検出用マーカーを設けた水平支持部材から形成された逆Ｌ字状のマーカー支持スタンドを取り付けたことを特徴とするゴルフ練習装置。
【請求項２０】
垂直支持部材と、一端に頭部ぷれ検出用鏡と頭部ぶれ検出用マーカーを設けた水平支持部材とからなる逆Ｌ字状の形状の鏡支持体を構成し、前記垂直支持部材の下端に、前記鏡支持体を据置き構造に自立させる台座を取り付けられたゴルフ練習装置。
【請求項２１】
下端に台座を設け、同台座に固着した垂直支持部材の上端に照明を取り付けて据置き構造の照明スタンドを構成し、垂直支持部材の一端に、先端に頭部ぶれ検出用鏡と頭部ぶれ検出用マーカーを設けた水平支持部材をとりつけたことを特徴とするゴルフ練習装置。
【請求項２２】
下端に台座を設け、同台座に固着した垂直支持部材の上端に照明を取り付けて据置き構造の照明スタンドを構成し、前記台座に、直立する垂直支持部材の上端に前後に首振り自在な鏡を設け、前記垂直支持部材を軸線方向の上下に伸縮自在及び軸回転自在に形成した鏡スタンドを取り付けたことを特徴とするゴルフ練習装置。
【請求項２３】
芝を設けたゴルフマットにおいて、そのマットの長手方向の一端に、垂直支持部材と、一端に頭部ぶれ検出用マーカーが設けられた水平支持部材から形成された逆Ｌ字状のマーカー支持スタンドを取り付け、前記マット上にセットしたゴルフボール上方であって、プレーヤーがゴルフボール載置位置を目視する目線上に頭部ぶれ検出用マーカーを配置したことを特徴とするゴルフ練習装置。
【請求項２４】
芝を設けたゴルフマットにおいて、そのマットの長手方向の一端に、直立する垂直支持部材の上端に前後に首振り自在な頭部ぶれ検出用鏡を設け、前記垂直支持部材を軸線方向に伸縮可能及び軸線周りに回転自在に形成することによって構成したことを特徴とするゴルフ練習マット。
【請求項２５】
芝を設けたゴルフマットにおいて、同マットの長手方向の一端に、垂直支持部材の上端に照明を設けた照明スタンドを固着して取り付けたことを特徴とするゴルフ練習装置。
【請求項２６】
芝を設けたゴルフマットにおいて、同マットの芝部の任意の位置に、ゴルフボールを載置かつ位置決めするゴルフボール着座部を兼ねたくぼみマーカーを設けたことを特徴とするゴルフ練習装置。
【請求項２７】
垂直支持部材と一端に頭部ぶれ検出用マーカーを設けた水平支持部材から形成された逆Ｌ字状のマーカー支持スタンドを形成し、同マーカー支持スタンドの垂直支持部材下端に台座を設けた自立構造のマーカー支持スタンドをグリーン上に据置した状態において、前記頭部ぶれ検出用マーカー下方のグリーン上面に、ゴルフボールを載置かつ位置決めするくぼみを設け、その裏側に棒状のさし込み軸を一体構造に成形した構造のティーマーカーをグリーン上面と略面一状態に埋め込んで取り付けるようにしたことを特徴とするゴルフ練習装置。
【請求項２８】
ゴルフマットの芝部に設けられているくぼみマーカーにおいて、同くぼみマーカーの少なくとも底面を蓄光性発光体で形成したゴルフ練習装置。
【請求項２９】
垂直支持部材と一端に頭部ぶれ検出用マーカーを設けた水平支持部材から形成された逆Ｌ字状のマーカー支持スタンド又は頭部ぶれ検出用マーカーを設けた鏡支持体において、前記頭部ぶれ検出用マーカーを蓄光性発光体で形成したことを特徴とするゴルフ練習装置。
【請求項３０】
芝を設けたゴルフマットの内、パター用のゴルフマットに設けられているくぼみマーカー近くの一部マット上面と、マットに設けられているカップの少なくとも底面を蓄光性発光体で覆って形成するようにしたことを特徴とするゴルフ練習装置。
【請求項３１】
ゴルフボールの少なくとも表面を蓄光性発光体で形成したゴルフ練習装置。
【請求項３２】
ゴルフボールはスポンジからなり少なくともゴルフボールの表面を蓄光性発光体で形成したゴルフ練習装置。
【発明の詳細な説明】
【０００１】
【発明の属する技術分野】
本発明は、ゴルフ練習において、プレーヤーの頭の動き具合及びクラブの軌道を知ることができるゴルフ練習装置に関する。
【０００２】
【従来の技術】
従来、一般的に、手軽なゴルフ練習装置として、アーム付きゴルフボールのアームを回転自在にゴルフマットに取り付けたゴルフ練習装置や、ゴルフボールに紐を取り付け、その紐をマットにセットしたゴルフ練習装置が公知である。また、パターにおいては、パターヘッドに円形のゴルフボールマークを設けたゴルフ練習装置が知られている。
【０００３】
【発明が解決しようとする課題】
しかし、このような従来のゴルフ練習装置においては、スイング中の頭の動きや、スイング軌道、並びに、スイートスポットで球を捕らえているか、及び、使用クラブに対して常に一定したスタンスがとられているかを知るためには、スイングフォームを映像や写真に撮ったり、又は他の人から見てもらわなければならないという問題があった。また、本出願人が先に出願した特願２００３−３４５３５号記載の蓄光性発光体からなるマーカーを設けたゴルフクラブでは、その使用におけるスイング軌道を知るために、前記発光体のマーカー部を照射して蓄光を容易にする照明が必要であった。
【０００４】
本発明は、ゴルフ練習において、各クラブに対し常に一定したスタンス取りを行い、そのスタンスや目線方向に対して一定した位置にゴルフボールをセットすることを可能にするゴルフ練習装置を提供することを目的とする。
本発明は、また、スイングやストローク中に頭が動いた場合、その動いた方向や大きさを容易に知ることができ、それに基づいてスイングフォームを自ら矯正することができるゴルフ練習装置を提供することを目的とする。
本発明は、さらに、一定の暗さ以上において、その暗さを利用して効果の出る練習を可能にし、特にスイング及びストローク時の軌道をスイング及びストローク中に自身で容易に確認できるようにしたゴルフ練習装置を提供するのを目的とする。
【０００５】
【課題を解決する為の手段】
前記目的を達成するために、本発明に係るゴルフ練習装置は、以下の構成を有する。
（１）スイングやストローク中の頭の動き具合を知るために、アドレス時の目（頭）の位置と、目線先となるマット上面又はグリーン上面との間の空間の任意の高さ位置に、目線上で支点となる任意の形状の頭部ぶれ検出用マーカーを設けている。このような構成とすることによって、頭部ぶれ検出用マーカーを支点にして、上方の目（頭）の位置と、下方のマット又はグリーン上面の目線先位置の三点の位置関係で、頭の位置が動くと、頭部ぶれ検出用マーカー下方の目線先位置が移動する。従って、図３７で示すように目線先の移動方向とは逆方向に頭が動いたことになる。このように、スイングやストローク中に頭が動いた場合、その動いた方向や大きさを容易に知ることができ、それに基づいてスイングフォームを自ら矯正することができる（図１、図２、図３７、図４３参照）
【０００６】
（２）前記頭部ぶれ検出用マーカーは、直立して保持され上下方向に垂直に又は一定の傾斜角度をもって伸延する垂直支持部材（縦支持部材）とその垂直支持部材上端に連設し略水平方向に水平に又は一定の角度をもって延びる水平支持部材（横支持部材）からなる逆Ｌ字状の形状で、前記水平支持部材の先端に設けられてマーカー支持スタンドを形成している。従って、頭部ぶれ検出用マーカーを、クラブヘッドの軌道上のスイングに支障のない高さ位置で宙に浮いた状態で保持することができる。（図１、図４３、図４〜７参照）
【０００７】
（３）前記マーカー支持スタンドの頭部ぶれ検出用マーカーの先端には磁石が設けられ、その磁石に吸着してパターのライン方向を示す細長い棒状の棒マーカーが取り付けられている。従って、ライン方向に向かってパターを正確に振ることができる（図１７、図４６参照）
【０００８】
（４）マーカー支持スタンドの水平支持部材先端部には、上向きに顔の一部を写す大きさの頭部ぶれ検出用鏡が設けられて鏡支持体を形成している（図８、図９参照）。従って、スイングやストローク中に頭が動いた場合、前記した頭部ぶれ検出用マーカーと同様に、その動いた方向や大きさを頭部ぶれ検出用鏡を用いて容易に知ることができ、それに基づいてスイングフォームを自ら矯正することができる。また、頭部ぶれ検出用鏡には、外周辺より横方向に突起した頭部ぶれ検出用マーカーを固着して取り付けることもできる。（図１２、図１３参照）
【０００９】
（５）前記鏡支持体の頭部ぶれ検出用鏡の上面には、上向きに水平器を固着又は着脱自在に取り付けており、鏡面を水平にセットしやすくしている。従って、特にパター使用時のように、頭を頭部ぶれ検出用鏡の上方にもってきて顔が鏡に写るように頭部ぶれ検出用鏡をセットする場合、水平器の使用は効果的である。水平器は気泡管等を用いて、できるだけ小型にするのが好ましい。（図１４、図１５、図５４参照）
【００１０】
（６）前記スタンドの垂直支持部材及び水平支持部材は、それぞれ軸線方向に伸縮でき、または、軸線周りに回転自在な構造になっている。そして、前記水平支持部材は垂直支持部材との介設部を支点にして、上下及び水平回転自在な構成になっている。従って、クラブによってスタンスや立つ位置がことなっても、頭部ぶれ検出用マーカーを目線にあわせて調整することができる。（図４〜図９参照）
【００１１】
（７）前記スタンドの垂直方向に伸縮自在に直立する垂直支持部材の上端には、首振り自在に頭部ぶれ検出用鏡が取り付けられて鏡スタンドを形成し、任意のクラブでのアドレスにおいて、そのアドレス時の顔の姿勢を変えない範囲の高い位置に主に顔の一部又は全部が写る大きさでアドレス前方に設けられている。従って、スイングやストローク中に頭が上下に動いた場合、これを検出してフォームの矯正を図ることができる（図１０、図１１、図１、図２、図４２参照）
【００１２】
（８）前記各スタンドの垂直支持部材を直立状態に自立させるために、垂直支持部材の下端には、所定の接地面積を有する台座が設けられて、据置き構造の自立スタンドになっている。従って、ゴルフ練習装置を安定状態にマット上に設置することができる（図２６〜図３２参照）
【００１３】
（９）コンパクトな構造にして持ち運びを容易にするために、スタンド下端の小さめの台座には、折りたたみ構造に回転台座が設けられ、その回転台座には重錘となるゴルフボールを載置することもできる構造となっている。（図２９〜図３２参照）
【００１４】
（１０）芝が設けられたゴルフマットには、後述する理由からゴルフボール着座部を兼ねたくぼみを有するくぼみマーカーが任意の位置に設けられている。（図２、図３、図２４、図２５参照）
【００１５】
（１１）前記くぼみマーカーの上方空間に保持されている頭部ぶれ検出用マーカー位置は、任意のクラブでのアドレスの目線上で前記くぼみマーカーと重なる位置にセットされている。（図１、図２、図４０、図４２、図４３参照）
【００１６】
（１２）垂直支持部材と水平支持部材の内、水平支持部材に設けられている頭部ぶれ検出用マーカー又は頭部ぶれ検出用鏡には、下端に重錘を設けた構成からなる下げ振りが吊り下げられている。その下げ振り長さはゴルフボールの載置面よりやや浮いた長さが好ましい。（図１８、図１９、図４９参照）
【００１７】
（１３）前記下げ振りの重錘の高さは、ゴルフボールの載置面より上方でパターのヘッドが十分通る高さに保持され、前記重錘の外幅の大きさは任意の形状の頭部ぶれ検出用マーカーの外幅より大きく後述するティーマーカーの外幅より小さい大きさに形成されている。そして、頭部ぶれ検出用マーカーと重錘迄の長さは一定の長さを保持されている。この場合、下げ振りを外さなくてよいので、利便性が向上する。（図５５、図５６参照）
【００１８】
（１４）練習グリーンにおいては、ゴルフマットに設けられているくぼみマーカーに替えて、グリーンなどでゴルフボールを拾い上げる時に用いるゴルフボールマーク用のティーマーカーの上面側にゴルフボールを載置しやすくするための球面体のくぼみを設けグリーン上に取り付けることもできる。（図２０、図２１、図４９〜図５１参照）
【００１９】
（１５）垂直支持部材と水平支持部材のうち、水平支持部材に設けられている下げ振りを具備する頭部ぶれ検出用マーカーまたは頭部ぶれ検出用鏡において、下げ振り下端の重錘をマットに設けられているくぼみマーカー又はグリーン上のティーマーカーの真上にセットすると、頭部ぶれ検出用マーカー又は頭部ぶれ検出用鏡は、必然的にくぼみマーカー又はティーマーカーの真上に位置することとなり、ゴルフボール着座部を兼ねたくぼみマーカー又はティーマーカー上にゴルフボールを載置すると、ゴルフボールの中心と頭部ぶれ検出用マーカー又は頭部ぶれ検出用鏡の中心を結んだ目線は垂直方向の目線となる。（図４３、図４５、図４９〜図５３参照）
【００２０】
（１６）そして、マットに設けられているくぼみマーカーの上方に頭部ぶれ検出用マーカーをセットするために、スタンスと反対側の長手方向のマットの一端に、またはマットの直近に据置き構造のマーカー支持スタンドを固定配置し、さらに、水平支持部材の頭部ぶれ検出用マーカーを手前に向けて、すなわち、プレーヤーに向けて伸縮自在又は横方向に回転自在にして、頭部ぶれ検出用マーカー位置を調整しやすくしている。（図１、図２、図２４、図２６、図３４、図３８、図３９、図４３参照）
【００２１】
（１７）軸線方向に伸縮自在な垂直支持部材の上端に任意の高さに鏡を設けた鏡支持スタンドを、任意のクラブでのアドレスで顔を写しやすくするために、スタンスと反対側長手方向のマットの一端に又は同マットの直近に据置き構造の鏡スタンドを固定配置し、鏡面はアドレスの目線上で顔と正対する手前向きで容易に角度調整できる首振り自在な構造とすることができる。（図１、図２、図２７、図４２、図４３参照）
【００２２】
（１８）くぼみマーカーを設けたゴルフマットの長手方向の一端又はそのマットの直近には、後述する蓄光性発光体部を蓄光（充光）するために、照明スタンドが固着又は据置き状態に設けられ、照明の向きはアドレス時において手前やや下向きのスイングに邪魔にならない位置に配置されている。（図１、図２、図２２、図２３、図４０、図４３参照）
【００２３】
（１９）据置き構造の照明スタンドの台座には、正面方向に向けてマーカー支持スタンドまたは鏡支持体及び直立する鏡スタンドが固着して取り付けられている。（図２２、図２３参照）
【００２４】
（２０）パター用ゴルフマットのくぼみマーカーは任意の間隔で複数設けられ、本発明の頭部ぶれ検出用マーカーを用いた複数の距離でのパット練習を可能にし、そのマーカー位置はマットの横幅の中央部が好ましい。（図３、図３４参照）
【００２５】
（２１）夜間などの一定の暗さを利用して効果のある練習を行うため、以下に述べる部分を蓄光性発光体で形成している。すなわち、マットに設けられているくぼみマーカーの少なくともくぼみ底部、また頭部ぶれ検出用マーカー並びに棒マーカー及びパター用マットに設けられているカップの少なくとも底部、または、ゴルフボールの少なくとも表面並びに衝撃と衝撃音を緩和するためにスポンジで形成されたゴルフボール及びパター用マットに設けられているくぼみマーカー近くの一部上面を、蓄光性発光体で形成している。（図３３、図３４参照）
【００２６】
以上、発光体部をマットに設けられた、又はマット直近に据置かれた照明で数十秒または数分間照射して蓄光（充光）を行い、一定以上の暗さにおいて発光体部から鮮明な発光を得ることができる。（図３３、図３４参照）
【００２７】
（２２）特願２００３−３４５３５号記載の発光体のマーカーを設けたクラブの蓄光（充光）も、前記照明で行い本発明の効果を高めるものとなる。（図３３、図３４参照）
【００２８】
よって、鮮明に光る発光体部を目視により、スイング中の発光部（マーカー）の軌道を知ることができ、または、くぼみマーカー及び頭部ぶれ検出用マーカーとクラブのマーカーの軌道との重なり具合を目視することを可能にしている。（図３６、図４１参照）
【００２９】
ゴルフボールの発光により夜間においても、ゴルフボールの視認を容易にしている。（図３３、図３４参照）
【００３０】
棒マーカーの発光によりストローク中の棒マーカーとクラブのマーカーの重なり具合を見やすくしている。
【００３１】
パター用マットの上面に設けられている発光体部の発光により、夜間でのパターヘッドの形状の確認をしやすくしている。（図４７、図４９参照）
【００３２】
マットのカップの発光により夜間でカップを容易に視認できる。（図３４参照）
【００３３】
【発明の実施の形態】
本発明に係るゴルフ練習装置を、添付図に示す実施例を参照して説明する。
（図１に示す実施例）
本実施例は、本発明に係るゴルフ練習装置を、昼間または夜間の一定の暗さを利用した練習に具体的に使用した状態を示す。
図示するように、ゴルフクラブ（図中、ウッドで示す）７０でのアドレスで、ゴルフマット１４に設けられているくぼみマーカー２４ｂと、芝面上でクラブヘッドが十分通る高さで宙に浮いた状態に設けられている頭部ぶれ検出用マーカー２３ｂを、目線７５で結んだ位置に、頭部ぶれ検出用マーカー２３ｂの位置をセットする。
次に、ゴルフマット１４に設けられているゴルフボール着座部をかねた図４４で示す形状のくぼみマーカー２４ｂの上に、ゴルフボール４０ｂを載置する。
頭部ぶれ検出用マーカー２３ｂを保持するマーカー支持スタンド１は、伸縮自在な垂直支持部材と水平支持部材からなる逆Ｌ字状をなし、更に水平支持部材は、垂直支持部材との接続部を支点にして上下及び左右に回転自在になっている。
アドレスに対し正面のゴルフマット１４の一端には、上端に頭部ぶれ検出用鏡２７ａが設けられた、上下に伸縮自在な鏡スタンド４が取り付けられ、その一定の高い高さの鏡面は目線方向で正対する向きにセットされ、顔の一部又は全部が写る構成になっている。
また、一定以上の暗さにおける夜間の練習では、ゴルフマット１４に設けられている照明３３ａを用いて、蓄光性発光体から形成されたくぼみマーカー２４ｂ、ゴルフボール４０ｂ、及び頭部ぶれ検出用マーカー２３ｂとクラブヘッドに設けられているマーカー部に照明光を照射して蓄光（充光）し、発光体部を発光状態にする。
【００３４】
（図２に示す実施例）
本実施例は、本発明に係るゴルフ練習装置の全体構成を示す。
ゴルフマット１４の任意の位置には、図４４で具体的に示す形状を有するくぼみマーカー２４ｂが設けられ、くぼみマーカー２４ｂの少なくとも底部は蓄光性発光体で覆われ形成されている。そのくぼみの大きさは、ゴルフボールをくぼみ上に容易に載置し、そのくぼみ内にゴルフボールがわずかに沈む程度の大きさになっている。そして、ゴルフマット１４の長手方向の一端には、後述する図４及び図５で示す逆Ｌ字状のマーカー支持スタンド１と、垂直支持部材３４の上端に照明３３ａが取り付けられた照明スタンド５、及び、後述する図１０、図１１で示す鏡スタンド４が固着して取り付けられている。
マーカー支持スタンド１の水平支持部材の先端に設けられている頭部ぶれ検出用マーカー２３ｂは、少なくともゴルフボールが載置できる範囲のマット上で、ゴルフクラブ７０のヘッド７０ａが十分通る高さ位置に宙に浮いた状態に保持されている。また、任意のクラブ７０のアドレスにおいて、くぼみマーカー２４ｂと頭部ぶれ検出用マーカー２３ｂは、目線７５上で重なる状態に、目線先７９をくぼみマーカー２４ｂに合せてセットされている。そして、鏡スタンド４の上端に設けられている頭部ぶれ検出用鏡２７ａには目線７７ａ方向で顔の中央部が写る位置に鏡２７ａ面が配置されている。そして、照明３３ａの向きは蓄光性発光体で形成されたくぼみマーカー２４ｂと頭部ぶれ検出用マーカー２３ｂ方向に向けて取り付けられている。
【００３５】
（図３に示す実施例）
本実施例はパター用のゴルフマット１７の構成について説明する。
パター用のゴルフマット１７の任意の位置に、図４４で示す形状のくぼみマーカー２４ｂが複数設けられ、そのくぼみマーカー２４ｂ近くの一部分のマット面と前記くぼみマーカー２４ｂ及びカップ３７の底部は、蓄光性発光体で覆われて形成されている。
【００３６】
（図４及び図５に示す実施例）
本実施例は、マーカー支持スタンド１の具体的構成について説明する。
マーカー支持スタンド１を形成する垂直支持部材の内、パイプ状の下段の垂直支持部材４１ａ内に、繰り出し自在６０ａかつ軸線周りに回転自在６１ａに上段の垂直支持部材４１ｂを挿入して取り付け、その垂直支持部材４１ｂの上端には球体４７ａを形成している。そして、一端に球体４７ｂを設けた水平支持部材４２ａの他端側のパイプ形状の軸内には、繰り出し自在６０ｂ及び軸線周りの回転自在６１ｂな他の水平支持部材４２ｂが挿入して取り付け、その水平支持部材４２ｂの先端には頭部ぶれ検出用マーカー２３ａが固着して取り付けている。そして、垂直支持部材４１ｂと水平支持部材４２ａに形成されている球体４７ａと球体４７ｂを一対の継手板４９で挟んで連結し、逆Ｌ字状の形状のマーカー支持スタンド１を形成している。そして、その球体４７ａ、４７ｂと継手板４９の接続部は、任意の方向に回転自在（主として、水平回転５３及び垂直回転５４）な構成になっている。そして、垂直支持部材４１ａの下端にはねじ穴４６が設けられている。このねじ穴４６にボルト４７を台座５５ａに設けた貫通穴を挿通して螺合することによって、マーカー支持スタンド１を台座５５ａに固着状態に立設することができる。
【００３７】
（図６及び図７に示す実施例）
本実施例は、マーカー支持スタンドの他の具体的構成について説明する。
マーカー支持スタンド２を形成する垂直支持部材の内、下段のパイプ状の垂直支持部材４３ａ内に、繰り出し自在６０ａ及び軸線周りの回転自在６１ａ自在に上段の垂直支持部材４３ｂが挿入して取り付けられ、その垂直支持部材４３ｂの上端には、変形コの字状の継手部５０が形成されている。そして一端に板状の継手部５２を設けた水平支持部材４４ａの他端側のパイプ状の軸内には、繰り出し自在６０ｂ及び軸線周りの回転自在６１ｂ自在に他の水平支持部材４４ｂが挿入して取り付けられ、その水平支持部材４４ｂの先端には、頭部ぶれ検出用マーカー２３ａが固着して取り付けられている。そして、垂直支持部材４３ｂと水平支持部材４４ａの端部に形成されている継手部５０と継手部５２を、左右に板状の継手部５１ｂと変形コの字状の継手部５１ｃから形成された継手５１ａを介して連結し、垂直支持部材と水平支持部材からなる逆Ｌ字状のマーカー支持スタンド２を形成している。ここで、継手部５０と継手５１の接続部を支点にして、水平支持部材は、水平回転５３と垂直回転５４が可能である。そして、垂直支持部材４３ａの下端にはねじ穴４６が設けられている。このねじ穴４６にボルト４７を台座５５ａに設けた貫通穴を挿通して螺合することによって、マーカー支持スタンド１を台座５５ａに固着状態に立設することができる。
【００３８】
（図８及び図９に示す実施例）
本実施例も、マーカー支持スタンドの他の具体的構成について説明する。
本実施例に係るマーカー支持スタンドも、図４、５に示すマーカー支持スタンドと同様な構成を有する、即ち、鏡支持体３を形成する垂直支持部材の内、パイプ状の下段の垂直支持部材４１ａ内に、繰り出し自在回転自在に上段の垂直支持部材４１ｂが挿入して取り付けられ、その垂直支持部材４１ｂの上端には球体４７ａが形成されている。そして、一端に球体４７ｂを設けた水平支持部材４２ａの他端側のパイプ形状の軸内には、繰り出し自在回転自在になる頭部ぶれ検出用鏡２７ｂを設けた水平支持部材４２ｃが挿入して取り付けられている。そして、垂直支持部材４１ｂと水平支持部材４２ａに形成されている球体４７ａと球体４７ｂを一対の継手板４９で挟んで取り付け、逆Ｌ字状の形状の鏡支持体３を形成している。そして球体４７ａ、４７ｂと継手板４９の介設部は、任意の方向に回転自在な構成になっている。そして、垂直支持部材４１ａの下端には、ねじ穴４６が設けられている。
【００３９】
（図１０及び図１１に示す実施例）
下端にねじ穴４６を設けたパイプ形状の下段の垂直支持部材４５ａ内に、パイプ状の中段の垂直支持部材４５ｂを繰り出し自在かつ回転自在に挿入して取り付け、その中段の垂直支持部材４５ｂには、上端に球体４７ａを設けた上段の垂直支持部材４５ｃが繰り出し自在回転自在に挿入して取り付けられている。そして、垂直支持部材４５ｃの上方には、下方に球体４７ｃを設けた頭部ぶれ検出用鏡２７ａが配置され、前記球体４７ａ、４７ｃを継手板４９で挟んで取り付けて高さ調整容易な鏡スタンド４を形成している。そして、その球体４７ａ、４７ｃと継手板４９の接続部は、任意の方向に回転自在になって、頭部ぶれ検出用鏡２７ａの向きを自由に首振り調整６２できる構成になっている。
【００４０】
（図１２及び図１３に示す実施例）
本実施例は、図８及び図９に示す実施例の変容例に係るものである。
即ち、図８及び図９に示す垂直支持部材と水平支持部材からなる逆Ｌ字状の鏡支持体の水平支持部材４２ｃの先端に設けられている頭部ぶれ検出用鏡２７ｃには、頭部ぶれ検出用鏡２７ｃの外周辺より外側に突起した頭部ぶれ検出用マーカー２３ａが取り付けられている。
【００４１】
（図１４に示す実施例）
本実施例も、図８及び図９に示す実施例の変容例に係るものである。
即ち、図１４に示すように、水平支持部材４２ｃの先端に上向きに設けられている頭部ぶれ検出用鏡２７ｄの上面の任意の位置に上向きに水平器３２が固着して取り付けられている。
【００４２】
（図１５に示す実施例）
本実施例も、図８及び図９に示す実施例の変容例に係るものである。
図１５に示す実施例では、水平支持部材４２ｃの先端に上向きに設けられている頭部ぶれ検出用鏡２７ｂの上面に着脱自在に水平器３２が配置され、その水平器３２には一方の端にリングを設けた紐３９が取り付けられている。そして、前記リングを水平支持部材４２ｃに通して不使用時に水平支持部材４２ｃに吊り下げ収納する構成としている。
【００４３】
（図１６に示す実施例）
本実施例は、以上説明した全ての実施例に適用できるものであり、頭部ぶれ検出用マーカー２３ｂを蓄光性発光体で形成したことに特徴を有する。
【００４４】
（図１７に示す実施例）
本実施例も、以上説明した全ての実施例に適用できるものであり、頭部ぶれ検出用マーカー２３ｃの先端部に磁石３１を固着して設けたことを特徴とする。
【００４５】
（図１８に示す実施例）
本実施例は、図１８に示す実施例では、図４及び図５で示すマーカー支持スタンド１に設けられている頭部ぶれ検出用マーカー２３ａには、下端に重錘４８ａを設けた構成からなる下げ振り３５ａが取り付けられ、マーカー支持スタンド１ａを形成している。そして、下げ振り３５ａの不使用時には、水平支持部材に設けられているフック３６に掛け止めしている。
【００４６】
（図１９に示す実施例）
本実施例も、図８及び図９に示す実施例の変容例に係るものである。
即ち、図８及び図９で示す鏡支持体３に図１２、１３で示す頭部ぶれ検出用マーカー２３ａが取り付けられ、その頭部ぶれ検出用マーカー２３ａ又は頭部ぶれ検出用鏡２７ｃに、想像線で示す下端に重錘４８ａを設けた構成からなる下げ振り３５ａが取り付けられ、鏡支持体３ａを形成している。そして、下げ振り３５ａの不使用時には、水平支持部材に設けられているフック３６に掛け止めしている。
【００４７】
（図２０及び図２１に示す実施例）
本実施例は、テイ−マーカー２８を具備するゴルフ練習装置を示す。
即ち、図２０及び図２１に示す実施例では、任意の大きさの円形の薄板の上面に、球面体のくぼみ２９が設けられ、その裏側の中央部には下向きに、任意の長さの棒状の差し込み軸３０が一体構造に設けられてテイ−マーカー２８を形成している。
【００４８】
（図２２に示す実施例）
本実施例は、ゴルフ練習装置が、さらに照明機能を有する場合である。
即ち、任意の面積を有する台座５５ａと、同台座５５ａに固着して取り付けられ、上部に照明３３ａを有する垂直支持部材３４から構成されてなる据置き構造の照明スタンド５に、図１８で示すマーカー支持スタンド１ａが固着して並設されており、自立型の頭部ぶれ検出用マーカー照明スタンド６を形成している。
【００４９】
（図２３に示す実施例）
本実施例も、ゴルフ練習装置が、さらに照明機能を有する場合である。
即ち、図２２で示す照明スタンド５の台座５５ａに、図４及び図５で示すマーカー支持スタンド１と、図１０及び図１１で示す鏡スタンド４が固着して取り付けられて、自立頭部ぶれ検出用マーカーを具備する照明鏡スタンド７を形成している。
【００５０】
（図２４及び図２５に記載の実施例）
本実施例は、ゴルフ練習装置の一部を構成するゴルフマットに関する。
図２４に示す実施例では、ゴルフマット１５の芝部の任意の位置には、芝上面よりくぼんだ図４４で示す形状のくぼみマーカー２４ａが設けられ、そのくぼみの大きさはゴルフボールをくぼみ上に載置してゴルフボールがわずかにくぼみ内に沈む大きさで、ゴルフボールをくぼみ上に容易にセットできる必要最小限近くの大きさになっている。そして、マットの長手方向の一端には図４、５で示すマーカー支持スタンド１が固着して取り付けられた構成になっている。そして、頭部ぶれ検出用マーカー２３ａはくぼみマーカー２４ａの上方に配置されている。
【００５１】
図２５に示す実施例では、図２４で示されるくぼみマーカー２４ａと、マーカー支持スタンド１が設けられたゴルフマット１５のマーカー支持スタンド１直近のゴルフマットの一端に図１０及び図１１で示す鏡スタンド４が固着して取り付けられてゴルフマット１６を形成している。
【００５２】
（図２６〜図３２に示す実施例）
本実施例は、マーカー支持スタンドと鏡スタンドを固着状態に取り付け、支持する台座に関する。
図２６に示す実施例では、任意の大きさの台座５５ｂには、図４及び図５で示すマーカー支持スタンド１が固着して設けられ、自立構造の自立マーカー支持スタンド８を形成している。
【００５３】
図２７に示す実施例では、任意の大きさの台座５５ｂには、図４及び図５で示すマーカー支持スタンド１と図１０及び図１１で示す鏡スタンド４が固着して設けられ、自立構造の自立頭部ぶれ検出用マーカー鏡スタンド９を形成している。
【００５４】
図２８に示す実施例では、任意の大きさの台座５５ｂには、図１９で示す鏡支持体３ａが自立構造に固着して取り付けられて自立鏡支持体１０を形成し、前記鏡支持体３ａの頭部ぶれ検出用マーカー２３ａには、下端に重錘４８ａを設けた下げ振り３５ａと水平支持部材には下げ振り３５ａを掛け止め収納するフック３６が取り付けられている。
【００５５】
図２９及び図３０に示す実施例では、図１８で示すマーカー支持スタンド１ａを自立及び折りたたみ構造にする為に、マーカー支持スタンド１ａの下端に台座５６を固着して設け、その台座５６には丸棒からなる長四角のリング形状の回転台座５７が縦方向に回転自由に取り付けられて自立マーカー支持スタンド１１を形成し、図３０で示すように折りたたみ可能な構造になっている。
【００５６】
図３１及び図３２に示す実施例では、図２９で示す回転台座５７を設けた台座５６には、図４及び図５で示すマーカー支持スタンド１と図１０及び図１１で示す鏡スタンド４が固着して取り付けられて折りたたみ構造に、自立頭部ぶれ検出用マーカー鏡スタンド１２を形成している。そして、リング形状の回転台座５７には、ゴルフボール４０ａを重錘代りに載置できる構成になっている。
【００５７】
（図３３及び図３４に示す実施例）
本実施例は、照明によって発光する蓄光性発光体の利用に関する。
図３３に示す実施例では、図２で示されるゴルフマット１４において、照明を点灯し蓄光性発光体からなるくぼみマーカー２４ｂとゴルフボール４０ｂ並びに頭部ぶれ検出用マーカー２３ｂ及びゴルフクラブ７０のマーカー２５ａに照射して蓄光（充光）を行っている。
【００５８】
図３４に示す実施例では、図３に示されるゴルフマット１７と図２２に示される自立頭部ぶれ検出用マーカー照明スタンド６を用いてのパター練習において、照明３３ａを点灯し蓄光性発光体からなるくぼみマーカー２４ｂとゴルフボール４０ｂ並びに頭部ぶれ検出用マーカー２３ｂ及びパター７１のマーカー２５ｂとマット面の発光部６７に照射して蓄光（充光）を行っている。そして、高い位置にある他の照明３３ｂで前記各蓄光性発光体部と主にカップ３７を照射して蓄光（充光）を行っている。
前記２つの照明３３ａと３３ｂの内、より近い位置の照明３３ａで強い光で蓄光する程より鮮明で長時間の発光が得られる。
【００５９】
（図３５〜図４３に示す実施例）
本実施例は、本発明に係るゴルフ練習装置を用いた具体的練習方法に関する。
図３５及び図３６に示す実施例では、夜間の一定の暗さにおける練習では、図３３で示されたように各マーカーやゴルフボールを照明で数秒から数分間照射して蓄光（充光）を行った後、照明を消し又は明りを絞り、蓄光部の発光の明るさを十分得た状態において、ゴルフクラブ７０でのアドレスで、マットのくぼみマーカー２４ｂとマット上面よりクラブヘッドが十分通る高さの頭部ぶれ検出用マーカー２３ｂを目線７５で結んだ位置に頭部ぶれ検出用マーカー２３ｂの位置をセットし、そして、くぼみマーカー２４ｂの上にゴルフボール４０ｂを載置し、スイングを行うと、一定の暗さにおいて、くぼみマーカー２４ｂ、頭部ぶれ検出用マーカー２３ｂ及びクラブヘッドのマーカー２５ａやゴルフボール４０ｂは発光し明るく光っているので、図３６に示すように、クラブヘッドのマーカー２５ａの軌跡による軌道８７ａを十分察知することができる。そして、スイング中の頭の動き具合も、目線７５上におけるくぼみマーカー２４ｂと頭部ぶれ検出用マーカー２３ｂの重なり具合で確認することができる。
なお、図３６では、インパクト後の目線７５がアドレスの時と同じくくぼみマーカー２４ｂと頭部ぶれ検出用マーカー２３ｂを結んだ状態に保たれている。したがって頭が動いていない理想的なスイングになっている。
【００６０】
図３７に示す実施例では、ゴルフクラブ７０でのテークバックのトップの頭の位置は、アドレス時の目線７５で結んだ頭部ぶれ検出用マーカー２３ｂ先のマット上面の目線先７９ａ位置とテークバック時の目線７５ａの頭部ぶれ検出用マーカー２３ｂ先の目線先７９ｂ位置には、目線先の移動幅８１が生じている。したがって頭が右側にスエーしていることが確認できることとなる。
よってアドレス時の目線先位置をマットに設けられているくぼみマーカーに合せて練習を行うと、目線先の移動状態が確認しやすくなる。
【００６１】
図３８及び図３９に示す実施例では、シャフトの長短によるアドレス時のくぼみマーカー２４ａに対する頭部ぶれ検出用マーカー２３ａ位置の調整状態を示し、短いゴルフクラブ（図中、アイアンで示す）７２ａでの目線７６ａ上でくぼみマーカー２４ａと頭部ぶれ検出用マーカー２３ａとが重なり合う状態から、長いゴルフクラブ（図中、アイアンで示す）７２ｂでの目線７６ｂ方向は、スタンス８５ａ位置からマットより離れる右側寄りのスタンス８５ｂ位置に移動する。よって、目線７６ｂ方向は手前右側に傾斜がゆるくなるので、図３８では頭部ぶれ検出用マーカー２３ａは手前側に伸延幅８３程度移動する。一方、図３９では、頭部ぶれ検出用マーカー２３ａは右側に回転幅８４程移動する。
【００６２】
図４０及び図４１に示す実施例では、マットのくぼみマーカー２４ｂとマーカー支持スタンド１の頭部ぶれ検出用マーカー２３ｂ及びゴルフクラブ７０のヘッドのスイートスポットを示す位置に設けられているマーカー２５ａが蓄光（充光）された発光状態において、ゴルフクラブ７０のアドレスの目線７５上でくぼみマーカー２４ｂとヘッドのマーカー２５ａ及び頭部ぶれ検出用マーカー２３ｂを重ね合わせた状態でのスイングでは、明るく鮮明な各マーカーは、スイング中においても視認しやすく、図４１で示すクラブヘッドのマーカー２５ａの軌跡の軌道８７ａが確認しやすい。したがって、アドレス時の各マーカーの重なり状態を保ったスイング練習を行うことが容易となる。図４１では、くぼみマーカー２４ｂと頭部ぶれ検出用マーカー２３ｂ及び軌道８７ａが重なった良いスイングを示している。よって、ゴルフボール４０ｂを打たなくてもスイートスポットでゴルフボールを捕える練習を可能にしている。
【００６３】
図４２に示す実施例では、ゴルフクラブ７０を用いてのアドレスにおいて、ゴルフマット１６に設けられているマーカー支持スタンド１の頭部ぶれ検出用マーカー２３ａは、マット上面よりクラブヘッドが十分通る高さでマットに設けられているくぼみマーカー２４ａと目線７５で結んだ位置にセットされ、そのくぼみマーカー２４ａの上にゴルフボール４０ａが載置されている。そして、マーカー支持スタンド１の直近に設けられている上端に鏡２７ａを有する鏡スタンド４では、任意の高さの鏡２７ａは、前記アドレス時の目線７７ａで主に顔の一部が写るよう鏡面を正対させた状態にセットされている。よって、スイングチェック時などで、たとえば、頭が下がった場合の目線７７ｂ先の鏡面に写された顔の位置は、頭が下がった分、顔の上部が写ることになる。
【００６４】
図４３に示す実施例では、パター７１でのアドレス状態でゴルフマット１７の前方には、図２２で示す照明スタンド５にマーカー支持スタンド１ａが取り付けられて形成された自立頭部ぶれ検出用マーカー照明スタンド６が配置され、マーカー支持スタンド１ａに設けられている頭部ぶれ検出用マーカー２３ｂの高さは、パターのストロークに支障のないクラブヘッドが十分通る高さ位置にあり、ゴルフマット１７に設けられているくぼみマーカー２４ｂとパター７１のスイートスポットを示すマーカー２５ｂとを目線７８で結んだ位置にセットしている。
【００６５】
（図４４及び図４５に示す実施例）
本実施例はゴルフマットに関する。
図４４に示す実施例では、ゴルフマット１４、１５、１６、１７に設けられているくぼみマーカー２４ａ、２４ｂの大きさは、そのくぼみマーカー２４ａ、２４ｂの上にゴルフボール４０ａ，４０ｂ，４０ｃを載置しやすく、くぼみにゴルフボールがわずかに沈む大きさになっている。
【００６６】
図４５に示す実施例では、ゴルフマット１７には、底面が蓄光性発光体からなる複数のくぼみマーカー２４ｂとカップ３７の底面を蓄光性発光体で覆っている。そして、任意の位置のくぼみマーカー２４ｂに目線で重なる位置に頭部ぶれ検出用マーカー２３ｂをセットして、複数の距離の頭部ぶれ検出用マーカー２３ｂを用いた練習用ゴルフマットにしている。そして、夜間の練習においては、パター７１のヘッドの姿を見えやすくするために、くぼみマーカー２４ｂ近くのマット上面の一部を蓄光性発光体で覆って発光部６７を設け、その発行部６７上でのパター７１の使用時では、発行部６７の発光によりマット上が明るくなっているのでパター７１のヘッドの姿を容易に視認することができる。
【００６７】
（図４６〜図４８に示す実施例）
本実施例は棒マーカーに関する。
即ち、図４６及び図４７で示す先端に磁石３１のついた頭部ぶれ検出用マーカー２３ｃには、パターのライン方向を示す任意の長さの細長い棒マーカー２６ａが吸着して取り付けられ、棒マーカーの少なくとも中央部には磁石に吸着する金属３８を設けて棒マーカー２６ａを形成し、又は棒マーカーの少なくとも上面を蓄光性発光体で形成した棒マーカー２６ｂとなっている。
【００６８】
図４８に示す実施例では、任意の高さ位置の頭部ぶれ検出用マーカー２３ｃの先端にライン方向に棒マーカー２６ａが取り付けられ、くぼみマーカー２４ａ又はテイ−マーカー２８の上にゴルフボール４０ａをセットし、パター７１でのアドレス時の目線でゴルフボール４０ａと棒マーカー２６ａの長手方向の中央部が重なるようにしている。そして、パター７１のマーカー２５ｂと棒マーカー２６ａも重なる状態にして、スイートスポットでゴルフボールを捕え、ライン方向に沿ってストロークしやすくしている。
【００６９】
（図４９〜図５６に示す実施例）
本実施例は、鏡支持体を用いたグリーン上での実施例に関する。
図１９で示す鏡支持体３ａをグリーン９０上で自立させるため、同スタンドの下端には回転台座５７を折りたたみ構造に設けた台座５６が固着して取り付けられ、自立鏡支持体１３を形成している。そして、前記回転台座５７には、スタンドの自立の安定と転倒の防止を図るために、重錘として機能するゴルフボール４０ａを載置できるようにしている。そして、グリーン９０に差し込んで取り付けられたテイ−マーカー２８に対し任意の高さの頭部ぶれ検出用マーカー２３ａを真上にセットするために、頭部ぶれ検出用マーカー２３ａに取り付けられている下げ振り３５ａを吊り下げて容易に位置決めを行う。そして、想像線では下げ振り３５ａを鏡２７ｃの裏面の中央部に設け、鏡２７ｃの真下にテイ−マーカー２８を配置することも可能である。
【００７０】
図５０、図５１及び図５２に示す実施例では、図４９で示す要領でテイ−マーカー２８の真上にセットされた頭部ぶれ検出用マーカー２３ａにおいて、下げ振り３５をフック３６に掛け止めして収納し、グリーン９０上面と面一状態のテイ−マーカー２８にゴルフボール４０ａを載置し、パター７１でのアドレス時の目線７８は垂直方向とし、頭部ぶれ検出用マーカー２３ａ先の目線先８０はゴルフボール４０ａ上面の中央部に位置している。そして上向きに設けられている鏡２７ｃ面の向きを目線７８ａ方向に正対させると、任意の大きさの鏡２７ｃには顔の一部の内、目もと部分が写ることとなる。そして、図５２で示すごとくストロークを行いパター７１のマーカー２５ｂの軌道８７ｂは頭部ぶれ検出用マーカー２３ａと重なった状態を示し、テイ−マーカー２８と頭部ぶれ検出用マーカー２３ａに写っている顔の目もと部分も、アドレス時と同じ状態のほとんど頭が動いていない実施例になっている。
【００７１】
図５３に示す実施例では、自立鏡支持体１３の鏡２７ｃの形状と大きさは、ゴルフボール４０ａの外径より小さい外径の円形の形状をなし、パター７１のアドレス時の目線上でゴルフボール４０ａと任意の高さの鏡２７ｃがゴルフボール４０ａの大きさ内に鏡２７ｃが納まった状態に重なっている。そして、鏡２７ｃには顔の目もと部分が写るアドレスになっている。
【００７２】
図５４に示す実施例では、鏡支持体３、３ａの鏡２７ｄ上面に水平器３２が設けられ、そのスタンドを用いたパター７１でのアドレスで、ゴルフボール４０ａと上方の丸型構造の鏡２７ｄが重なり、鏡面は水平器３２により水平にセットされている。そして、鏡面には顔の目もと部の一部が写っている。
【００７３】
図５５及び図５６に示す実施例では、ゴルフボール４０ａ上方に設けられている頭部ぶれ検出用マーカー２３ａには、下端に重錘４８ｂが設けられて形成された下げ振り３５ｂが吊り下げ状態に取り付けられ、その重錘４８ｂの高さはクラブヘッドが十分通る高さになっている。そして、重錘４８ｂの外幅は、頭部ぶれ検出用マーカー２３ａの外幅より大きい大きさでゴルフボールの外幅より小さい大きさに形成されている。そして、図５６では、真上からの目線７８で頭部ぶれ検出用マーカー２３ａと重錘４８ｂ及びゴルフボール４０ａのそれぞれの中心位置で重なり、頭が動いた状態では、想像線で示す目線７８ａ方向が頭部ぶれ検出用マーカー２３ａを支点にして変わっている。
【００７４】
【発明の効果】
本発明は、以上説明してきたように構成されるので、以下に記載される効果を得ることできる。
【００７５】
スイング中の頭の動き具合を知るために、本発明では、アドレス時の目の位置とマット面又はグリーン面との間の任意の高さ位置に、目線上の支点となる頭部ぶれ検出用マーカーを設けた状態で、目（頭）の位置が変わると頭部ぶれ検出用マーカーを支点にしたマット面又はグリーン上面の目線先位置が移動する。したがって、目線先が動くことにより頭の動きを間接的に知る効果を得る。
【００７６】
たとえば、図３７で示すようにアドレス時の頭の位置が仮に右に動いた場合、頭部ぶれ検出用マーカーを支点にした下方の目線先位置は左側に移る。したがって、目線先の動く方向とは逆方向に頭が動いたことになる。よって、スイング中において正確に頭の動く方向や大きさを知ることができる。
【００７７】
このように、本発明では、アドレス時の目線先位置にマーカーを設けることにより、目線先の移動具合を確認しやすくし、アドレス時において、頭部ぶれ検出用マーカーに対し目線先位置を一定にするので、常に同じアドレスを取るのを容易にすることができる。
【００７８】
そして、くぼみマーカー上の一定した位置にゴルフボールをセットしやすくするために、マットのくぼみマーカーは図４４で示すようにゴルフボールをわずかに沈めるくぼみを設け、そのくぼみ上にゴルフボールを載置するゴルフボール着座部を兼ねたくぼみマーカーとしている。又、グリーン上では上面にくぼみを有するテイ−マーカーとしてゴルフボールを載置しやすくし、頭部ぶれ検出用マーカーに対して常に一定した位置にゴルフボールをセットすることを可能にしている。そして、前記テイ−マーカーはグリーンなどで用いるゴルフボールマーク用のテイ−を兼ねることもできる大きさになっている。
【００７９】
また、主にウッドやアイアンにおいて、頭の動きをより細かく確認するために、図１、４２で示すようにアドレスでの正面にはアドレスの顔の前傾姿勢を変えない高さの高い位置に、顔に正対状態に顔の一部又は全部を写す大きさに鏡が設けられている。よって、わずかに動いても写る顔の位置が変り、また、鏡からはみ出すこととなるので小さな動きでも確認が容易で、特に頭部ぶれ検出用マーカーの使用では分かりにくい、頭の上下の動きを知るのに効果を発揮するものである。
【００８０】
また、パターにおいても、図５０〜図５２に示すようにマットやグリーン上面より一定の高さ位置に、下向きの顔に正対状態に顔の一部が写る大きさに鏡が上向きに設けられ、わずかに頭が動いた場合、写る顔の位置が変り、また、鏡からはみ出すのでストローク中の頭の動きの確認が容易になっている。また、直接鏡面を目線で見なくても鏡に写った像が動くと気配で感じとることが可能である。
【００８１】
また、主にパターにおいて、宙に浮いた状態に保持されている頭部ぶれ検出用マーカー又は鏡に下げ振りが設けられたものでは、マットのくぼみマーカー又はグリーンでのテイ−マーカー及びその近くの任意の位置の真上に頭部ぶれ検出用マーカー又は鏡をセットしやすくしている。そして、くぼみマーカー及びテイ−マーカーにはくぼみがもうけられてゴルフボールを載置しやすくしている。よって、頭部ぶれ検出用マーカー又は鏡に対して常に一定した位置にゴルフボールをセットするので常に安定したアドレス取りが行なえる。
【００８２】
また、頭部ぶれ検出用マーカーに設けられている、下げ振りで重錘とゴルフボール載置面との間にパターヘッドが十分通る空間を設けたものにあっては、アドレス時に頭部ぶれ検出用マーカーの中心と重錘の中心及びゴルフボールの中心を重ねた状態の目線は垂直状態にあり、したがってゴルフボールの真上に頭（目）の位置を容易にセットできる効果を有し、ストローク中に頭部ぶれ検出用マーカーと重錘の重なり具合を常に一定に保つと頭が動いていないことになる。そして、下げ振りはストローク中に邪魔にならない高さに保持されているので下げ振りを収納する不便さもないものとなっている。
【００８３】
また、図５３及び図５４で示すように、ゴルフボールの大きさより小さい大きさの円形の鏡にすると、鏡とゴルフボールを重ね合わせると鏡面を直視しやすくなり、鏡面に写った顔（頭）の動きをより正確に察知することができる。そして、図１４、１５で示す水平器で鏡面を水平調整容易にして、鏡に顔の中央部を写しやすくして鏡面の顔を見やすくしている。
【００８４】
また、パターにおいて、マットには複数のくぼみマーカーが設けられているので、本発明の頭部ぶれ検出用マーカーや棒マーカー又は鏡を使った複数の距離の練習が可能となる効果を有する。
【００８５】
また、折りたたみ構造のマーカー支持スタンドでは、衣服のポケットやゴルフバックなどに入れやすく携帯便利な大きさになっている。そして、容易に用意できるゴルフボールを重錘として用いると、よりコンパクトなスタンドとなるとともに自立の安定を得ることとなり、練習グリーンなどでの使用を便利にしている。
【００８６】
また、頭部ぶれ検出用マーカーにライン方向を示す棒マーカーが設けられたものにあっては、パターのマーカーと棒マーカーを重ね合せるようにストロークすると、スイートスポットで球を捕えラインに沿って真っ直ぐなストローク練習ができやすい構成となっている。
【００８７】
また、夜間などの一定の暗さを利用しての練習においては、光りを貯え発光する蓄光性発光体の性質を利用し、その発光色は一定の暗さの中で鮮明になり、その鮮明度はより強い光で発光部を照射するほど鮮明になり、また暗い程明るく鮮明な発光状態を得ることができる。
【００８８】
よって、図３３及び図３４で示すごとく、各発光部への蓄光（充光）を容易にし、強い光を得るために本発明では、マット近くでスイングの支障のない所に照明を設けている。
【００８９】
そして、鮮明な発光部を得ると、図３６に示すスイング状態では、くぼみマーカーと頭部ぶれ検出用マーカーを目視によりしっかり確認することができ、しかも早い動きをするクラブのマーカーの軌跡（軌道）も目で捕えることができる。したがって、頭の動き具合やスイング軌道をスイング中に知ることを可能にしている。
【００９０】
また、図４１に示されるスイングでは、くぼみマーカーや頭部ぶれ検出用マーカーに対し、クラブヘッドのスイートスポットを示すマーカーの重なり具合を確認しやすいので、より正しいスイング軌道を得る練習に役に立つものになっている。
【００９１】
また、図４５に示すパターの練習においては、ストローク中であってもパターのマーカーは確認しやすいので鮮明に光っているゴルフボールの芯に向かってパターのマーカーを合せやすくしている。そして、パターの軌道ができるだけ長くラインに沿ってストロークされているかを容易に察知できるものである。
【００９２】
また、くぼみマーカーや頭部ぶれ検出用マーカーに対し、パターのマーカーの重なり具合をストローク中に確認しやすくしている。
【００９３】
また、図４５に示されるように、くぼみマーカー近くのマット上面の一部は発光部が設けられているので、暗い状態でパターヘッドの姿を十分見えやすく、パターのフェイスをライン方向に合わせるのを容易にして練習をしやすくしている。そして、カップも発光体で形成されているので暗い中でもカップが良く見える構成になっている。
【００９４】
また、図４８に示される構成の棒マーカーを使用しての練習においては、鮮明に光る棒マーカーとパターのマーカーはストローク中でも確認しやすいので、両マーカーが重なり合った状態又はライン方向を示す棒マーカーにパターの軌道が平面上で平行になる練習を行うことが容易になっている。
【００９５】
また、発光体からなるスポンジのゴルフボールを用いると、室内などでもネットを使用せず壁などに向かってクラブの軌道を確認しながら容易にショットの練習が可能で、しかも衝撃や衝撃音がないので壁などに傷を付ける心配や他の人に迷惑をかけることもない練習ができる。
【００９６】
そして、夜間などの一定の暗さの中での本発明の練習装置においては、発光部に光を照射して蓄光（充光）を行うという動作が生じるが、通常の練習では息つく暇もない程連続してショットやストロークをする訳ではなく、ショットやストロークの合間を利用して数十秒又は数分間蓄光を行うとかなりの回数の練習を行う時間鮮明な発光を続ける。そして照明にセンサーを設けクラブのヘッドなどでＯＮ、ＯＦＦを行うとほとんど蓄光する面倒を感じることのない装置になる。
【００９７】
このように同じクラブでは常に一定したアドレスを取りやすくし頭の動き具合や軌道を容易に知ることができるが、ゴルフにおいて、頭を動かさずスイング軸を一定に保つことが良いとされているが、頭を全く動かさずスイングするというのはなかなかむつかしく、頭の動き方を知ることにより、各自のスイングの癖や欠点を見つけスイング動作の目標設定に大いに役立つものと思われる。
【００９８】
また、頭部ぶれ検出用マーカーの下方にくぼみマーカーやテイ−マーカーがない場合においても昼間においては、マットやグリーン上面の目線先の動きは確認することができるので、前記くぼみマーカーやテイ−マーカーがない場合でも頭部ぶれ検出用マーカーの効果を大きく減ずることはない。
【図面の簡単な説明】
【図１】本発明のゴルフ練習装置を用いたアドレスの実施例を示す側面図である。
【図２】ゴルフマットの実施例を示す斜視図である。
【図３】ゴルフマットの実施例を示す平面図である。
【図４】マーカー支持スタンドの実施例を示す平面図である。
【図５】図３のＸ１−Ｘ１線による矢視図である。
【図６】マーカー支持スタンドの実施例を示す平面図である。
【図７】図６のＸ２−Ｘ２線による矢視図である。
【図８】鏡支持体の実施例を示す平面図である。
【図９】図８のＸ３−Ｘ３線による矢視図である。
【図１０】鏡スタンドの実施例を示す正面図である。
【図１１】図１０のＸ４−Ｘ４線による一部矢視図である。
【図１２】鏡と頭部ぶれ検出用マーカーの実施例を示す一部平面図である。
【図１３】図１２のＸ５−Ｘ５線による矢視図である。
【図１４】鏡に水平器を取り付けた実施例を示す一部斜視図である。
【図１５】鏡に水平器を取り付けた実施例を示す一部斜視図である。
【図１６】頭部ぶれ検出用マーカーの実施例を示す一部拡大図である。
【図１７】頭部ぶれ検出用マーカーの実施例を示す一部拡大図である。
【図１８】マーカー支持スタンドの実施例を示す斜視図である。
【図１９】鏡支持体の実施例を示す斜視図である。
【図２０】テイ−マーカーの実施例を示す平面図である。
【図２１】図１６のＸ６−Ｘ６線による矢視図である。
【図２２】自立頭部ぶれ検出用マーカー照明スタンドの実施例を示す斜視図である。
【図２３】自立頭部ぶれ検出用マーカー照明鏡スタンドの実施例を示す斜視図である。
【図２４】ゴルフマットの実施例を示す斜視図である。
【図２５】ゴルフマットの実施例を示す斜視図である。
【図２６】自立マーカー支持スタンドの実施例を示す斜視図である。
【図２７】自立頭部ぶれ検出用マーカー鏡スタンドの実施例を示す斜視図である。
【図２８】自立鏡支持体の実施例を示す斜視図である。
【図２９】自立マーカー支持スタンドの実施例を示す斜視図である。
【図３０】図２９の収納状態の実施例を示す斜視図である。
【図３１】自立頭部ぶれ検出用マーカー鏡スタンドの実施例を示す斜視図である。
【図３２】図３１のＸ７−Ｘ７線による矢視図である。
【図３３】ゴルフ練習装置の蓄光（充光）状態の実施例を示す斜視図である。
【図３４】ゴルフ練習装置の蓄光（充光）状態の実施例を示す斜視図である。
【図３５】ゴルフ練習装置を用いたアドレスの実施例を示す正面図である。
【図３６】ゴルフ練習装置を用いたスイングの実施例を示す正面図である。
【図３７】ゴルフ練習装置を用いたスイングの実施例を示す正面図である。
【図３８】ゴルフ練習装置を用いた２例のアドレスの実施例を示す側面図である。
【図３９】図３８のＸ８−Ｘ８線による一部矢視図である。
【図４０】ゴルフ練習装置を用いたアドレスの一部の実施例を示す側面図である。
【図４１】ゴルフ練習装置を用いたスイングの一部の実施例を示す平面図である。
【図４２】ゴルフ練習装置を用いたアドレスの実施例を示す側面図である。
【図４３】ゴルフ練習装置を用いたアドレスの一部の実施例を示す側面図である。
【図４４】ゴルフボールの載置の実施例を示す一部拡大図である。
【図４５】ゴルフ練習装置を用いた一部の実施例の平面図である。
【図４６】棒マーカー取り付け部の実施例を示す斜視図である。
【図４７】棒マーカーの実施例を示す平面図である。
【図４８】棒マーカーを用いたアドレスの一部の実施例を示す平面図である。
【図４９】自立鏡支持体の実施例を示す側面図である。
【図５０】自立鏡支持体を用いたアドレスの一部の側面図である。
【図５１】図５０のＸ９−Ｘ９線による矢視図である。
【図５２】図５１の使用の実施例を示す図である。
【図５３】自立鏡支持体を用いたアドレスの実施例を示す一部平面図である。
【図５４】鏡支持体を用いたアドレスの実施例を示す一部平面図である。
【図５５】頭部ぶれ検出用マーカーと下げ振りの実施例を示す一部立面図である。
【図５６】図５５のＸ１０−Ｘ１０線による矢視図である。
【符号の説明】
１：  マーカー支持スタンド                        ２４ａ：くぼみマーカー
１ａ：マーカー支持スタンド                        ２４ｂ：くぼみマーカー
２：  マーカー支持スタンド                        ２５ａ：マーカー
３：  鏡支持体
３ａ：鏡支持体                          ２５ｂ：マーカー
４：  鏡スタンド                              ２６ａ：棒マーカー
５：  照明スタンド                            ２６ｂ：棒マーカー
６：  自立頭部ぶれ検出用マーカー照明スタンド                ２７ａ：鏡
７：  自立頭部ぶれ検出用マーカー照明鏡スタンド              ２７ｂ：鏡
８：  自立マーカー支持スタンド                    ２７ｃ：鏡
９：  自立頭部ぶれ検出用マーカー鏡スタンド                  ２７ｄ：鏡
１０：  自立鏡支持体                      ２８：テイ−マーカー
１１：  自立マーカー支持スタンド                    ２９：くぼみ
１２：  自立頭部ぶれ検出用マーカー鏡スタンド      ３０：差し込み軸
１３：  自立鏡支持体                      ３１：磁石
１４：  ゴルフマット                            ３２：水平器
１５：  ゴルフマット                            ３３ａ：照明
１６：  ゴルフマット                            ３３ｂ：照明
１７：  ゴルフマット                            ３４：垂直支持部材
２３ａ：  頭部ぶれ検出用マーカー                              ３５ａ：下げ振り
２３ｂ：  頭部ぶれ検出用マーカー                              ３５ｂ：下げ振り
２３ｃ：  頭部ぶれ検出用マーカー                              ３６：フック
３７：カップ                              ５１ｃ：継手部
３８：金属                                ５２：継手部
３９：ひも                                ５３：水平回転
４０ａ：ゴルフボール                      ５４：垂直回転
４０ｂ：ゴルフボール                      ５５ａ：台座
４０ｃ：ゴルフボール                      ５５ｂ：台座
４１ａ：垂直支持部材                      ５６：台座
４１ｂ：垂直支持部材                              ５７：回転台座
４２ａ：水平支持部材                              ６０ａ：繰り出し自在
４２ｂ：水平支持部材                              ６０ｂ：繰り出し自在
４２ｃ：水平支持部材                              ６１ａ：軸線周りの回転自在
４３ａ：垂直支持部材                              ６１ｂ：軸線周りの回転自在
４３ｂ：垂直支持部材                              ６２：首振り
４４ａ：水平支持部材                              ６７：発光部
４４ｂ：水平支持部材                              ７０：ウッド
４５ａ：垂直支持部材                              ７０ａ：クラブヘッド
４５ｂ：垂直支持部材                              ７１：パター
４５ｃ：垂直支持部材
４６：ねじ穴                            ７２ａ：ゴルフクラブ
４７ａ：球体                              ７２ｂ：ゴルフクラブ
４７ｂ：球体                              ７５：目線
４７ｃ：球体                              ７５ａ：目線
４８ａ：重錘                              ７６ａ：目線
４８ｂ：重錘                              ７６ｂ：目線
４９：継手板                            ７７ａ：目線
５０：継手部                            ７７ｂ：目線
５１ａ：継手                              ７８：目線
５１ｂ：継手部                            ７８ａ：目線
７９：目線先
７９ａ：目線先
７９ｂ：目線先
８０：目線先
８１：移動幅
８３：伸延幅
８４：回転幅
８５ａ：スタンス
８５ｂ：スタンス
８７ａ：軌道
８７ｂ：軌道
９０：グリーン
【図１】
2004321767.tif 000003
【図２】
2004321767.tif 000004
【図３】
2004321767.tif 000005
【図４】
2004321767.tif 000006
【図５】
2004321767.tif 000007
【図６】
2004321767.tif 000008
【図７】
2004321767.tif 000009
【図８】
2004321767.tif 000010
【図９】
2004321767.tif 000011
【図１０】
2004321767.tif 000012
【図１１】
2004321767.tif 000013
【図１２】
2004321767.tif 000014
【図１３】
2004321767.tif 000015
【図１４】
2004321767.tif 000016
【図１５】
2004321767.tif 000017
【図１６】
2004321767.tif 000018
【図１７】
2004321767.tif 000019
【図１８】
2004321767.tif 000020
【図１９】
2004321767.tif 000021
【図２０】
2004321767.tif 000022
【図２１】
2004321767.tif 000023
【図２２】
2004321767.tif 000024
【図２３】
2004321767.tif 000025
【図２４】
2004321767.tif 000026
【図２５】
2004321767.tif 000027
【図２６】
2004321767.tif 000028
【図２７】
2004321767.tif 000029
【図２８】
2004321767.tif 000030
【図２９】
2004321767.tif 000031
【図３０】
2004321767.tif 000032
【図３１】
2004321767.tif 000033
【図３２】
2004321767.tif 000034
【図３３】
2004321767.tif 000035
【図３４】
2004321767.tif 000036
【図３５】
2004321767.tif 000037
【図３６】
2004321767.tif 000038
【図３７】
2004321767.tif 000039
【図３８】
2004321767.tif 000040
【図３９】
2004321767.tif 000041
【図４０】
2004321767.tif 000042
【図４１】
2004321767.tif 000043
【図４２】
2004321767.tif 000044
【図４３】
2004321767.tif 000045
【図４４】
2004321767.tif 000046
【図４５】
2004321767.tif 000047
【図４６】
2004321767.tif 000048
【図４７】
2004321767.tif 000049
【図４８】
2004321767.tif 000050
【図４９】
2004321767.tif 000051
【図５０】
2004321767.tif 000052
【図５１】
2004321767.tif 000053
【図５２】
2004321767.tif 000054
【図５３】
2004321767.tif 000055
【図５４】
2004321767.tif 000056
【図５５】
2004321767.tif 000057
【図５６】
2004321767.tif 000058